(57)【要約】【課題】  飲料ディスペンサにおける異常の発生を利用者にはわかりにくくし、かつ管理者には異常状態をわかり易くする。【解決手段】  飲料を抽出する抽出機構３と、抽出機構３を収容する機体１，２と、機体１，２の表面に配設した操作部１６とを備え、利用者が操作部１６で所定の操作をすると抽出機構３で飲料の抽出を行い、その抽出した飲料をカップに入れて利用者に提供する飲料ディスペンサであって、異常が発生したときに点灯する異常通知ランプ８を備え、異常通知ランプ８は、機体１，２における操作部１６を配設した面とは異なる方向を向いた面に配設してある飲料ディスペンサ。【選択図】図２
2013188257.tif 000002
【特許請求の範囲】
【請求項１】
飲料を抽出する抽出機構と、前記抽出機構を収容する機体と、前記機体の表面に配設した操作部とを備え、利用者が前記操作部で所定の操作をすると前記抽出機構で飲料の抽出を行い、その抽出した飲料をカップに入れて前記利用者に提供する飲料ディスペンサであって、
異常が発生したときに点灯する異常通知ランプを備え、
前記異常通知ランプは、前記機体における前記操作部を配設した面とは異なる方向を向いた面に配設してあることを特徴とする飲料ディスペンサ。
【請求項２】
前記操作部は、前記機体の前面に配設してあり、
前記異常通知ランプは、前記機体の側面または背面に配設してあることを特徴とする請求項１に記載の飲料ディスペンサ。
【請求項３】
前記異常が発生したときに、その異常の内容に固有の点灯パターンで前記異常通知ランプを点灯させることを特徴とする請求項１または請求項２に記載の飲料ディスペンサ。
【請求項４】
前記機体に収容した異常通知ブザーを備え、
前記制御部は、異常が発生すると、その異常の内容に固有のパターンで前記異常通知ブザーを鳴らすことを特徴とする請求項１乃至請求項３のいずれか１項に記載の飲料ディスペンサ。
【発明の詳細な説明】
【技術分野】
【０００１】
本発明は、調理機構で調理した飲料をカップに注入して提供する飲料ディスペンサに関する。
【背景技術】
【０００２】
コーヒーなどの飲料を提供する飲料ディスペンサは、調理機構で調理した飲料をカップ載置部の所定位置に置かれたカップに注入して提供している。この飲料ディスペンサでは、調理機構などの不具合（動作不良）の他に、たとえば、原料（コーヒー豆や茶葉など）が無くなったこと、調理に必要な消耗品（フィルタなど）が無くなったこと、調理後に生じたコーヒーかすを回収するかす容器が満杯になったことなどを、異常として管理者に通知する。異常を通知する方法として一般的なのは、ＬＥＤランプなどの異常通知ランプを点灯させる方法である（たとえば、特許文献１を参照。）。
【０００３】
異常通知ランプが点灯したことで異常が発生したことを知った管理者は、まず、調理機構などが収容された本体キャビネットの前面開口を閉塞する外扉を開けて、コントロールボックスに表示された異常の内容を確認する。そして、異常への対処をするとともに、コントロールボックスまたはコントロールボックスに接続してあるリモコンで異常の通知を解除する。
【先行技術文献】
【特許文献】
【０００４】
【特許文献１】特開平０５−１１２３９４号公報
【発明の概要】
【発明が解決しようとする課題】
【０００５】
ところで、従来の飲料ディスペンサにおける異常通知ランプは、飲料選択釦や動作状態表示ランプなどとともに、外扉の前面に配設してある。そのため、異常通知ランプが点灯すると、異常の発生が利用者にもわかってしまい、利用者の利用意欲（飲料の購買意欲）が低下するなど、飲料の提供（販売）に支障をきたす虞がある。
【０００６】
また、対面式のカウンターに飲料ディスペンサを設置してある場合には、前面に異常通知ランプにあると、管理者にとっては、異常状態がわからないため、すぐ対応できず、販売機会を逃す虞がある。
【０００７】
本発明は、上記に鑑みてなされたものであって、利用者には異常の発生をわかりにくくし、かつ管理者には異常状態をわかり易くすることが可能な飲料ディスペンサを提供することを目的とする。
【課題を解決するための手段】
【０００８】
上記の目的を達成するために、本発明の請求項１に係る飲料ディスペンサは、飲料を抽出する抽出機構と、前記抽出機構を収容する機体と、前記機体の表面に配設した操作部とを備え、利用者が前記操作部で所定の操作をすると前記抽出機構で飲料の抽出を行い、その抽出した飲料をカップに入れて前記利用者に提供する飲料ディスペンサであって、異常が発生したときに点灯する異常通知ランプを備え、前記異常通知ランプは、前記機体における前記操作部を配設した面とは異なる方向を向いた面に配設してあることを特徴とする。
【０００９】
本発明の請求項２に係る飲料ディスペンサは、上記請求項１に係る飲料ディスペンサにおいて、前記操作部は、前記機体の前面に配設してあり、前記異常通知ランプは、前記機体の側面または背面に配設してあることを特徴とする。
【００１０】
本発明の請求項３に係る飲料ディスペンサは、上記請求項１または請求項２に係る飲料ディスペンサにおいて、前記異常が発生したときに、その異常の内容に固有の点灯パターンで前記異常通知ランプを点灯させることを特徴とする。
【００１１】
本発明の請求項４に係る飲料ディスペンサは、上記請求項１乃至請求項３のいずれかに係る飲料ディスペンサにおいて、前記機体に収容した異常通知ブザーを備え、前記制御部は、異常が発生すると、その異常の内容に固有のパターンで前記異常通知ブザーを鳴らすことを特徴とする。
【発明の効果】
【００１２】
本発明に係る飲料ディスペンサは、抽出機構を収容する機体の操作部を配設した面とは異なる方向を向いた面に異常通知ランプを配設してある。そのため、異常通知ランプが操作部と向かい合う利用者の視界に入りにくくなり、利用者が異常通知ランプの点灯に気づきにくくなる。
【００１３】
また、管理者にとってはわかり易い位置に異常通知ランプが配設されるため、異常がすぐに理解でき、しかも、異常の内容に固有の点灯パターンで前記異常通知ランプを点灯させることで、異常処理が直ぐに行え、さらに、ブザーを併用することで、離れた位置にいても、すぐに駆けつけて対応可能となる。
【図面の簡単な説明】
【００１４】
【図１】図１は、本発明の実施形態１である飲料ディスペンサの概略構成を示す正面図である。
【図２】図２は、図１の飲料ディスペンサの内部構成を示す概略図である。
【図３】図３は、図１の飲料ディスペンサの背面図である。
【図４】図４は、図１の飲料ディスペンサの平面図である。
【図５】図５は、図１の飲料ディスペンサにおけるカップ載置部およびその周辺の概略構成を示す平面図である。
【図６】図６は、本実施形態の飲料ディスペンサの設置例を示す模式図である。
【図７】図７は、本実施形態の飲料ディスペンサの制御構成を示すブロック図である。
【図８】図８は、図７の異常通知パターンの設定例を示す概念図である。
【図９】図９は、本実施形態の飲料ディスペンサにおける制御部が行う異常通知処理の処理手順を示すフロー図である。
【図１０】図１０は、本発明の実施形態２である飲料ディスペンサの制御構成を示すブロック図である。
【図１１】図１１は、図１０の異常通知パターンの設定例を示す概念図である。
【図１２】図１２は、本実施形態の飲料ディスペンサにおける制御部が行う異常通知処理の処理手順を示すフロー図である。
【発明を実施するための形態】
【００１５】
以下、図面を参照しながら、本発明に係る飲料ディスペンサの実施形態を詳細に説明する。なお、実施形態を説明するための全図において、同一機能を有するものは同一符号を付け、その繰り返しの説明は省略する。また、以下の実施形態では、本発明に係る飲料ディスペンサの一例として、利用者からの要求を受けてレギュラーコーヒー（以下、単に「コーヒー」という。）を抽出（調理）し、その抽出したコーヒー（飲料）をカップ載置部に置かれたカップに注入するものを挙げる。
【００１６】
（実施形態１）
図１は、本発明の実施形態１である飲料ディスペンサの概略構成を示す正面図である。図２は、図１の飲料ディスペンサの内部構成を示す概略図である。図３は、図１の飲料ディスペンサの背面図である。図４は、図１の飲料ディスペンサの平面図である。図５は、図１の飲料ディスペンサにおけるカップ載置部およびその周辺の概略構成を示す平面図である。
【００１７】
本実施形態の飲料ディスペンサは、図１乃至図４に示すように、本体キャビネット１と、外扉２とで構成される機体を備える。本体キャビネット１は、複数の鋼板を組み合わせることにより、前面が開口した箱状に構成してある。また、本体キャビネット１は、コーヒー抽出機構（調理機構）３の豆キャニスタ３Ａを配設するための開口を上面の右側後方に設けてある。外扉２は、本体キャビネット１の前面開口を閉塞する扉であり、開閉可能となる態様で、本体キャビネット１の前面開口における左側縁部に支承してある。外扉２は、後面が開口した箱状部材２Ａと、箱状部材２Ａの後面開口に取り付けられた内パネル２Ｂとを備える。
【００１８】
本体キャビネット１には、コーヒー抽出機構３、給湯機構４、かす容器５、かす容器検知スイッチ６、排水容器７、異常通知ランプ８の他に、図示しない配管や排水容器検知スイッチなどを設けてある。外扉２には、飲料トレイ９、カップ載置部１０、カップ検知センサ１１、取出口１２、取出口扉１３、取出口扉ロック部材１４、取出口扉開閉検知センサ１５、飲料選択釦１６、動作状態表示ランプ１７、コントロールボックス１８、リモコン１９などを設けてある。
【００１９】
コーヒー抽出機構３は、コーヒーを抽出するものであり、豆キャニスタ３Ａと、コーヒーミル３Ｂと、コーヒーブリュア３Ｃとを備える。コーヒー抽出機構３は、豆キャニスタ３Ａの一部が本体キャビネット１の上面開口を通って外部に露出するように、本体キャビネット１の内部における右側上方に固定してある。
【００２０】
豆キャニスタ３Ａは、コーヒー豆を収容し、コーヒーを抽出する場合に、コーヒーミル３Ｂにコーヒー豆を供給するものである。コーヒーミル３Ｂは、豆キャニスタ３Ａから供給されたコーヒー豆を挽き、挽いたコーヒー豆（挽き豆）をコーヒーブリュア３Ｃに供給するものである。コーヒーブリュア３Ｃは、コーヒーミル３Ｂから供給された挽き豆に給湯機構４から供給された湯を注ぐことにより、コーヒーを抽出するものである。また、コーヒーブリュア３Ｃには、コーヒーを抽出する際に使用するフィルタ３Ｄがセットされている。
【００２１】
給湯機構４は、コーヒー抽出機構３でコーヒーを抽出する際に使用する湯を沸かすものであり、図示しない水タンクや加熱機を備える。給湯機構４は、本体キャビネット１の内部における左側上方に固定してある。給湯機構４で沸かした湯は、図示しない配管を通してコーヒー抽出機構３のコーヒーブリュア３Ｃに送られる。
【００２２】
かす容器５は、コーヒーブリュア３Ｃでコーヒーを抽出した後に生じるコーヒーかすおよび使用済みのフィルタを回収する容器である。かす容器５は、本体キャビネット１の内部における右側下方の前側に配置してある。かす容器５の出し入れは、外扉２を開けて行う。
【００２３】
かす容器検知スイッチ６は、かす容器５が本体キャビネット１の所定位置に置かれているかを検知するものである。かす容器検出スイッチ６は、本体キャビネット１の内部空間を左右方向に分割するパネル（図示しない）に固定されている。
【００２４】
排水容器７は、コーヒーブリュア３Ｃでコーヒーを抽出した際や、その後の洗浄処理などで生じる排水を回収する容器である。排水容器７は、本体キャビネット１の内部における右側下方の後側に配置してある。排水容器７の出し入れは、本体キャビネット１の後面下方に設けてある排水容器入出用扉（図示しない）を開けて行う。
【００２５】
異常通知ランプ８は、飲料ディスペンサの動作に異常が発生したときに、それを飲料ディスペンサの管理者に通知するものである。異常通知ランプ８は、ＬＥＤランプであり、本体キャビネット１（機体）の背面に、外部から視認可能な態様で配設してある。異常通知ランプ８で通知する異常には、コーヒー抽出機構３や給湯機構４の不具合（故障）の他、たとえば、豆キャニスタ３Ａのコーヒー豆が無くなったこと、コーヒーブリュア３Ｃのフィルタが無くなったこと、かす容器５や排水容器７が満杯になったこと、などがある。
【００２６】
飲料トレイ９は、コーヒー抽出機構３（コーヒーブリュア３Ｃ）で抽出したコーヒーを受け、カップ載置部１０に置かれたカップ２０に注入するものである。飲料トレイ９は、外扉２の内パネル２Ｂに固定してある。コーヒー抽出機構３で抽出したコーヒーは、図示しない配管を通して飲料トレイ９に送られる。
【００２７】
カップ載置部１０は、飲料トレイ９で受けたコーヒーを注入するカップ２０を置く部分である。カップ載置部１０は、外扉２の箱状部材２Ａにおける前面から、内パネル２Ｂを突き抜けて飲料トレイ９の下部に突出するよう固定してある。カップ載置部１０へのカップ２０の載置およびカップ載置部１０からのカップ２０の取り出しは、外扉２の箱状部材２Ａに設けてある取出口１２を通して行う。飲料トレイ９で受けたコーヒーは、図示しない配管を通してカップ２０に注入される。
【００２８】
カップ検知センサ１１は、カップ載置部１０の所定位置にカップ２０が有るか無いかを検知するものである。カップ検知センサ１１は、発光部１１Ａと、受光部１１Ｂとを備える。発光部１１Ａおよび受光部１１Ｂは、図４に示すように、カップ載置部１０に置かれたカップ２０を飲料ディスペンサにおける左右方向で挟むよう外扉２の内パネル２Ｂに固定してある。
【００２９】
取出口扉１３は、取出口１２を閉塞する扉であり、開閉可能となる態様で、外扉２の箱状部材２Ａにおける取出口１２の左側縁部に支承してある。
【００３０】
取出口扉ロック部材１４は、取出口扉１３を閉じた状態（取出口１２を閉塞した状態）でロックするものである。取出口扉ロック部材１４は、取出口扉１３を閉じた状態で拘束可能な態様で、外扉２の箱状部材２Ａにおける取出口１２の右方に固定してある。
【００３１】
取出口扉開閉検知センサ１５は、取出口扉１３が開いているか閉じているかを検知するものである。取出口扉開閉検知センサ１５は、取出口扉１３が完全に閉じていることを検知可能な態様で、外扉２の箱状部材２Ａにおける取出口１２の左方に固定してある。
【００３２】
飲料選択釦１６は、利用者がコーヒーの提供を要求する操作を行う操作部を構成するものであり、外箱２の箱状部材２Ａにおける取出口１２の上方に４つ配設してある。飲料選択釦１６は、図示しないＬＥＤランプと一体になっており、ＬＥＤランプを点灯させることで飲料選択釦１６の押下が有効であることを利用者に通知する。
【００３３】
動作状態表示ランプ１７は、飲料ディスペンサの動作状態を通知するものであり、飲料選択釦１６とともに操作部を構成する。動作状態表示ランプ１７は、複数のＬＥＤランプからなり、外箱２の箱状部材２Ａにおける取出口１２と飲料選択釦１６との間に、外部から視認可能な態様で配設してある。動作状態表示ランプ１７で通知する動作状態としては、飲料ディスペンサが動作中（電源がオン）であること、コーヒーを抽出中であること、コーヒーの抽出が完了したこと、洗浄中であること、などがある。
【００３４】
コントロールボックス１８およびリモコン１９は、飲料ディスペンサの動作の設定や制御を行うものである。コントロールボックス１８は、外箱２の内パネル２Ｂに固定してある。リモコン１９は、外箱２の内パネル２Ｂに掛着してある。
【００３５】
図６は、本実施形態の飲料ディスペンサの設置例を示す模式図である。
【００３６】
本実施形態の飲料ディスペンサは、コンビニエンスストアのレジカウンターなどの対面式カウンターに設置することを想定した構成になっており、図６に示すように、利用者（客）２２側に外扉２（機体）の前面が向くよう対面式カウンター２１に設置する。このような対面式カウンター２１がある店舗では、管理者（店員）２３は、主に対面式カウンター２１を挟んで利用者２２と向かい合う位置にいる。そのため、管理者２３は、本体キャビネット１（機体）の背面と向かい合う。飲料ディスペンサと管理者２３とがこのような位置関係にある場合、管理者２３からは飲料ディスペンサの前面に配設してある飲料選択釦１６や動作状態表示ランプ１７で構成される操作部が見えない。
【００３７】
本実施形態の飲料ディスペンサは、異常を通知する異常通知ランプ８が本体キャビネット１の背面に配設してあるため、図６に示す向きで対面式カウンター２１に設置すると、利用者２２には異常通知ランプ８が見えない。そのため、異常通知ランプ８が点灯しても、利用者には見えないので、利用者は異常が発生していることに気づきにくい。そのため、本実施形態の飲料ディスペンサは、利用者が異常の発生を知り飲料ディスペンサの利用意欲（飲料の購買意欲）が低下するなどの飲料の提供に支障をきたす虞を低減できる。
【００３８】
さらに、本実施形態の飲料ディスペンサは、本体キャビネット１の背面に異常通知ランプ８を配設してあるので、図６に示す向きで対面カウンター２１に設置すると、異常通知ランプ８が管理者２３の目にとまりやすくなる。その結果、管理者が飲料ディスペンサに発生した異常にすばやく対処できるようになる。
【００３９】
その上、本実施形態の飲料ディスペンサは、次に述べるような制御構成および制御処理を適用することにより、異常通知ランプ８の点灯パターンを見るだけで管理者が異常の内容を理解でるようにしてある。
【００４０】
図７は、本実施形態の飲料ディスペンサの制御構成を示すブロック図である。図８は、図７の異常通知パターンの設定例を示す概念図である。なお、図７には、本実施形態の飲料ディスペンサにおける特徴的な制御構成のみを示しており、その他の構成要素の図示は省略している。
【００４１】
本実施形態の飲料ディスペンサは、図７に示すように、コーヒー抽出機構３、給湯機構４、異常通知ランプ８などに加え、これらの制御を行う制御手段２４などを備える。
【００４２】
制御手段２４は、コントロールボックス１８に収容されたコンピュータであり、制御部２４Ａと、異常通知パターン記録部２４Ｂとを備える。制御部２４Ａは、図示しない外部メモリに記録された制御プログラムや抽出設定に基づいて飲料ディスペンサ（コーヒー抽出機構３、給湯機構４など）の動作を制御する。また、制御部２４Ａは、飲料ディスペンサに異常が発生すると、内部メモリ（キャッシュ）に割り当てた異常通知パターン記録部２４Ｂに記録された異常通知パターンに基づいて異常通知ランプ８を点灯または点滅させる。
【００４３】
本実施形態の飲料ディスペンサにおける異常は、前述のように、コーヒー抽出機構３や給湯機構４の不具合（故障）の他、たとえば、豆キャニスタ３Ａのコーヒー豆が無くなったこと、コーヒーブリュア３Ｃのフィルタが無くなったこと、かす容器５や排水容器７が満杯になったこと、などがある。そして、これらの異常が発生したときに効率よく対処することが、飲料ディスペンサによる飲料の提供機会（販売機会）の拡大には重要になってくる。そのため、本実施形態の飲料ディスペンサは、異常通知ランプ８を本体キャビネット１の背面に配設することで、管理者が異常通知ランプ８による異常の通知に気づきやすくしている。さらに、本実施形態の飲料ディスペンサでは、異常通知パターン記録部２４Ｂに記録された異常通知パターンに基づき異常の内容ごとに固有のパターンで異常通知ランプ８を点灯させることで、管理者が内部（コントロールボックス１８）を確認することなく異常の内容を把握できるようにしている。
【００４４】
異常通知パターン記録部２４Ｂには、図８に示すように、異常の内容と、それに対応する通知パターンとで構成された異常通知パターンを記録してある。本実施形態の飲料ディスペンサでは、通知パターンを異常通知ランプ８の点灯パターンにしてあり、常時点灯させる場合の他に、点灯時間と消灯時間との組み合わせを変えることで、それぞれの異常に固有の点灯パターンを割り当てている。そのため、管理者は、異常通知ランプ８の点灯パターンから異常の内容を把握できる。したがって、管理者は、外扉２を開いてコントロールボックス１８やリモコン１９の表示を確認することなく発生した異常を知ることができ、効率よく対応できる。
【００４５】
次に、本実施形態の飲料ディスペンサにおける制御部２４Ａが行うに異常の通知に関する制御の具体例について、図９を参照しながら簡単に説明する。
【００４６】
図９は、本実施形態の飲料ディスペンサにおける制御部が行う異常通知処理の処理手順を示すフロー図である。
【００４７】
本実施形態の飲料ディスペンサにおける制御部２４Ａは、コーヒーの提供（販売）処理などと並列して、異常通知処理を行っている。そして、制御部２４Ａは、図示しない主処理において異常の発生を検知すると、図９に示すような異常通知処理を行う。
【００４８】
制御部２４Ａは、異常通知処理を始めると、まず、異常の内容を確認する（ステップＳ１１）。そして、異常の内容が判明すると、制御部２４Ａは、異常通知パターン記録部２４Ｂに記録された異常通知パターンに基づき、異常の内容と対応したパターンで異常表示ランプ８を点灯または点滅させる（ステップＳ１２）。
【００４９】
異常表示ランプ８を点灯または点滅させた後、管理者が発生した異常に対処して異常が解消されると（ステップＳ１３：Ｙｅｓ）、制御部２４Ａは、異常表示ランプ８を消灯させ（ステップＳ１４）、異常通知処理を終える。異常が解消されたか否かは、コントロールボックス１８またはリモコン１９による所定の解除操作が行われたか否かで判断する。
【００５０】
一方、異常が解消されない場合（ステップＳ１３：Ｎｏ）、制御部２４Ａは、異常が解消されるまで異常表示ランプ８の点灯または点滅を続ける。
【００５１】
本実施形態の飲料ディスペンサは、前述のように、異常が発生したことを管理者に通知する異常通知ランプ８が本体キャビネット１（機体）の背面に配設されている。そのため、利用者は異常が発生したことに気づきにくい。したがって、本実施形態の飲料ディスペンサは、利用者が異常表示ランプ８の点灯または点滅を目にすることで利用意欲が低減するなどの支障がでないようにすることができる。
【００５２】
また、本実施形態の飲料ディスペンサは、外箱２の前面（操作面）が利用者２２（客）側を向くようにして対面式カウンター２１に設置すると、対面式カウンタ２１を挟んで利用者２２と向かい合う位置にいる管理者２３からは、異常通知ランプ８がよく見える。そのため、管理者は異常通知ランプ８の点灯が目にとまりやすく、異常に対して効率よく対処できる。
【００５３】
さらに、本実施形態の飲料ディスペンサは、異常が発生すると、その異常に固有の点灯パターンで異常通知ランプ８を点灯または点滅させる。そのため、管理者が内部（コントロールボックス１８）を確認することなく異常の内容を容易に把握でき、異常に対して効率よく対処できる。
【００５４】
（実施形態２）
図１０は、本発明の実施形態２である飲料ディスペンサの制御構成を示すブロック図である。図１１は、図１０の異常通知パターンの設定例を示す概念図である。なお、図１０には、本実施形態の飲料ディスペンサにおける特徴的な制御構成のみを示しており、その他の構成要素の図示は省略している。
【００５５】
本実施形態の飲料ディスペンサは、制御部２４Ａにおいて異常の発生を検知すると、実施形態１の飲料ディスペンサと同様、異常通知ランプ８を異常の内容に固有の点灯パターンで点灯または点滅させる。
【００５６】
さらに、本実施形態の飲料ディスペンサは、異常通知ランプ８の点灯または点滅に加え、固有の発音パターンで異常通知ブザー２５を鳴らすことで、異常通知ランプ８から離れた位置にいる管理者に対しても異常を通知できるよう構成してある。本実施形態の飲料ディスペンサの制御構成は、図１０に示すように、コーヒー抽出機構３や給湯機構４、異常通知ランプ８、制御手段２４などに加え、異常通知ブザー２５を備える。異常通知ブザー２５は、たとえば、コントロールボックス１８に収容してあり、動作のオン／オフ切り替えや音量の調節が可能なものである。
【００５７】
制御部２４Ａは、飲料ディスペンサに異常が発生すると、異常通知パターン記録部２４Ｂに記録された異常通知パターンに基づいて異常通知ランプ８を点灯または点滅させるとともに異常通知ブザー２５を発音させる。
【００５８】
本実施形態の飲料ディスペンサにおける異常通知パターン記録部２４Ｂには、図１１に示すように、異常の内容と、それに対応する異常通知ランプ８の点灯パターンおよび異常通知ブザー２５の発音パターンを記録してある。本実施形態でも、それぞれの異常に固有の点灯パターンおよび発音パターンを割り当てている。そのため、管理者は、異常通知ランプ８の点灯パターンおよび発音パターンから異常の内容を把握できる。特に、異常通知ブザー２５を併用することで、飲料ディスペンサから離れた位置にいて異常通知ランプ８を視認できない管理者でも、音で異常の発生を知ることができ、すぐに対応可能となる。
【００５９】
次に、本実施形態の飲料ディスペンサにおける制御部２４Ａが行うに異常の通知に関する制御の具体例について、図１２を参照しながら簡単に説明する。
【００６０】
図１２は、本実施形態の飲料ディスペンサにおける制御部が行う異常通知処理の処理手順を示すフロー図である。
【００６１】
本実施形態の飲料ディスペンサにおける制御部２４Ａは、実施形態１のものと同様、コーヒーの提供（販売）処理などと並列して、異常通知処理を行っている。そして、制御部２４Ａは、図示しない主処理において異常の発生を検知すると、図１１に示すような異常通知処理を行う。
【００６２】
制御部２４Ａは、異常通知処理を始めると、まず、異常の内容を確認する（ステップＳ１１）。そして、異常の内容が判明すると、制御部２４Ａは、異常通知パターン記録部２５Ｂに記録された異常通知パターンに基づき、異常の内容と対応したパターンで異常表示ランプ８を点灯または点滅させるとともに、異常通知ブザー２５を発音させる（ステップＳ１２０）。
【００６３】
異常表示ランプ８を点灯または点滅させ、異常通知ブザー２５を発音させた後、管理者が発生した異常に対処して異常が解消されると（ステップＳ１３：Ｙｅｓ）、制御部２４Ａは、異常表示ランプ８を消灯させるとともに異常通知ブザー２５の発音を停止させ（ステップＳ１４０）、異常通知処理を終える。異常が解消されたか否かは、コントロールボックス１８またはリモコン１９による所定の解除操作が行われたか否かで判断する。
【００６４】
一方、異常が解消されない場合（ステップＳ１３：Ｎｏ）、制御部２４Ａは、異常が解消されるまで異常表示ランプ８の点灯または点滅および異常通知ブザー２５の発音を続ける。
【００６５】
本実施形態の飲料ディスペンサは、前述のように、異常が発生したことを管理者に通知する異常通知ランプ８が本体キャビネット１の背面に配設されている。そのため、利用者は異常が発生したことに気づきにくい。したがって、本実施形態の飲料ディスペンサは、利用者が異常通知ランプ８の点灯または点滅を目にすることで利用意欲が低減するなどの支障がでないようにすることができる。
【００６６】
さらに、本実施形態の飲料ディスペンサは、異常が発生すると、その異常に固有の点灯パターンで異常通知ランプ８を点灯または点滅させる。そのため、管理者が内部を確認することなく異常の内容を容易に把握でき、異常に効率よく対処できる。
【００６７】
なお、本実施形態の飲料ディスペンサは、図１２のフロー図のように、常に異常通知ランプ８および異常通知ブザー２５の両方で異常を通知する。しかしながら、異常通知ランプ８と異常通知ブザー２５とを併用する場合は、これに限らず、たとえば、管理者が飲料ディスペンサの近くにいる場合は異常通知ランプ８のみで通知し、飲料ディスペンサから離れる場合は異常通知ブザー２５による通知を有効にすることもできる。
【００６８】
以上、本発明に係る飲料ディスペンサを、上記の実施形態に基づき具体的に説明したが、本発明は、上記の実施形態に限定されるものではなく、その要旨を逸脱しない範囲において種々変更可能であることはもちろんである。
【００６９】
たとえば、上記の実施形態で示した飲料ディスペンサは、本体キャビネット１の背面、すなわち飲料選択釦１６などを配設した外扉２の前面（操作面）の裏面に異常通知ランプ８を配設している。しかしながら、異常通知ランプ８の配設面は、これに限らず、操作面とは異なる方向を向いており、操作面と向き合った利用者の目にとまりにくい面であればよい。すなわち、異常検知ランプ８は、本体キャビネット１（機体）の側面や上面に配設してあってもよい。
【００７０】
また、上記の実施形態で示した飲料ディスペンサでは、１つの異常通知ランプ８の点滅間隔を変えることで、それぞれの異常に固有の点灯パターンを設定している。しかしながら、異常通知ランプ８は、これに限らず、２以上のＬＥＤランプを用いて点灯させるＬＥＤランプの組み合わせでそれぞれの異常に固有の点灯パターンを設定してもよい。
【符号の説明】
【００７１】
１  本体キャビネット（機体）
２  外扉（機体）
２Ａ  箱状部材
２Ｂ  内パネル
３  コーヒー抽出機構（調理機構）
３Ａ  豆キャニスタ
３Ｂ  コーヒーミル
３Ｃ  コーヒーブリュア
３Ｄ  フィルタ
４  給湯機構
５  かす容器
６  かす容器検知センサ
７  排水容器
８  異常通知ランプ
９  飲料トレイ
１０  カップ載置部
１１  カップ検知センサ
１１Ａ  発光部
１１Ｂ  受光部
１２  取出口
１３  取出口扉
１４  取出口扉ロック部材
１５  取出口扉開閉検知センサ
１６  飲料選択釦（操作部）
１７  動作状態表示ランプ
１８  コントロールボックス
１９  リモコン
２０  カップ
２１  対面式カウンター
２２  利用者（客）
２３  管理者（店員）
２４  制御手段
２４Ａ  制御部
２４Ｂ  異常通知パターン記録部
２５  異常通知ブザー
【図１】
2013188257.tif 000003
【図２】
2013188257.tif 000004
【図３】
2013188257.tif 000005
【図４】
2013188257.tif 000006
【図５】
2013188257.tif 000007
【図６】
2013188257.tif 000008
【図７】
2013188257.tif 000009
【図８】
2013188257.tif 000010
【図９】
2013188257.tif 000011
【図１０】
2013188257.tif 000012
【図１１】
2013188257.tif 000013
【図１２】
2013188257.tif 000014